(57)【要約】【課題】伐採樹木の切り株を、環境に悪影響を与える薬剤や大型機械等を使用せずに効率的に処理することを可能にする処理シート、及びこれを用いた切り株の処理方法を提供する。【解決手段】耐水性及び遮光性を有する上部シートと、透湿耐水性及び遮光性を有する下部シートとを積層し、これらのシートを少なくとも一部で相互に固定してなる切り株処理シートを、切り株に被せ、地面に固定する。下部シートの端部の少なくとも一部が上部シート側に折り返し、この折り返した下部シートの端部を上部シートの端部と重ね合わせて縫合し、下部シートの折り返し部分に水が貯まるようにすることが好ましい。【選択図】図３
2010259338.tif 000002
【特許請求の範囲】
【請求項１】
耐水性及び遮光性を有する上部シートと、透湿耐水性及び遮光性を有する下部シートとを積層し、これらの上部シートと下部シートとを少なくとも一部で相互に固定してなる切り株処理シート。
【請求項２】
前記上部シート及び下部シートとがほぼ同形であり、上部シートより下部シートがやや大きく、上部シートの端部から下部シートの端部がはみ出すように重ね合わされ、
前記下部シートのはみ出した端部の少なくとも一部が上部シート側に折り返され、この折り返された下部シートの端部が上部シートの端部と重ね合わされて縫合され、
前記下部シートの折り返し部分に水が貯まるようになされた
ことを特徴とする、請求項１に記載の切り株処理シート。
【請求項３】
請求項１又は２に記載の切り株処理シートを伐採樹木の切り株上及びこの切り株の根の広がりが予想される切り株周辺の地面に被せる被覆工程と、
前記切り株処理シートを地面に固定する固定工程とを少なくとも含む
ことを特徴とする、伐採樹木の切り株処理方法。
【請求項４】
前記切り株処理シートの被覆工程の前に、金属塩水溶液、木酢液、及びタンニン水溶液からなる群から選択された樹木生育阻害物質を含有する処理液を切り株上面に設けた凹部に注入し、この凹部を含む切り株上面を透湿性マットで覆う工程をさらに含む
ことを特徴とする、請求項３に記載の伐採樹木の切り株処理方法。
【請求項５】
前記切り株処理シートの被覆工程の前に、切り株と切り株周辺の土壌との間の電気抵抗を測定することにより根の広がりを探知して、その結果に基づき使用する切り株処理シートの大きさ及び形状を決定する工程をさらに含む
ことを特徴とする、請求項３又は４に記載の伐採樹木の切り株処理方法。
【発明の詳細な説明】
【技術分野】
【０００１】
本発明は、樹木を伐採した後の切り株を処理するためのシート、及びこれを用いた切り株の処理方法に関する。
【背景技術】
【０００２】
我が国においては河川における洪水による被害が古くより問題となっていたが、近年特に、雨水が山林において徐々に地中に注ぎ、地下で貯水する自然の摂理が、河川上流での開発により崩れており、加えて、昨今の大気異変（地球温暖化）に起因した大雨などにより、瞬間的に河川が大増水する現象が多発している。
【０００３】
そのような増水の際、河川内の立木が倒れたり、または上流から流れてきた異物が立木に引っ掛かったりして、河川の流れが著しく悪くなり、中流域・下流域の人口密集域で堰を作ることが問題となっている。堰ができると、堰に貯められた水が護岸決壊を招き、周辺住居ならびに田畑まで浸水し、人命にかかわる大被害にまで至ることがある。
【０００４】
河川内の土壌は古来より大変肥沃な土壌と言われており、また近年の農業効率化による肥料を多量に含む農業排水や、人口密集地の生活排水により富栄養化された水が河川に流れこんでいるため、樹木等の飛来種子、流木の枝・根が活着しやすい環境にある。
【０００５】
このような栄養分と水が確保されている河川域では、樹木の生長もその他の場所に比べて異常に早く、例えば１０年〜１５年で株元の直径が４０ｃｍ〜６０ｃｍ（幹回り寸法１２０ｃｍ〜１８０ｃｍ）で、高さは１０ｍ〜２０ｍにまでなる。このような大木は前述したように増水時に河川の流動を著しく損なうことになる。
【０００６】
従って、このような河川域内の樹木は必要に応じて、又は定期的に伐採されているが、伐採を行っても、切り株を河川域に残しておくと、翌春には切り戻しによる旺盛な萌芽が生じ、短期間で伐採前より大きな樹冠の木に成長するので、根の処理は必要不可欠である。しかし、根の処理（抜根）には非常な労力が必要であり、莫大な費用がかかる。特に河川・水域等の場所では、通常使用されるような化学的な除草剤などの使用が制限されるため、別の方法が必要である。切り株を物理的に除去する装置も従来から提案されており、例えば特許文献１に記載されたものがあるが、そのような装置は樹木の大きさに合わせて大型にならざるを得ず、河川域内に点在する切り株を処理するために大型の装置を導入するのは、非効率的で費用的にも不利である。
【先行技術文献】
【特許文献】
【０００７】
【特許文献１】特開平８−３７９４９号公報
【発明の概要】
【発明が解決しようとする課題】
【０００８】
本発明は上記に鑑みてなされたものであり、上記のような河川域内の樹木に代表される伐採樹木の切り株を、環境に悪影響を与える薬剤や大型機械等を使用せずに効率的に処理することを可能にする処理シート、及びこれを用いた切り株の処理方法を提供することを目的とする。
【課題を解決するための手段】
【０００９】
本発明の切り株処理シートは、上記課題を解決するために、耐水性（防水性）及び遮光性を有する上部シートと、透湿耐水性及び遮光性を有する下部シートとを積層し、これらの上部シートと下部シートとを少なくとも一部で相互に固定してなるものとする。
【００１０】
上記切り株処理シートは、上部シート及び下部シートとがほぼ同形であり、上部シートより下部シートがやや大きく、上部シートの端部から下部シートの端部がはみ出すように重ね合わされ、下部シートのはみ出した端部の少なくとも一部が上部シート側に折り返され、この折り返された下部シートの端部が上部シートの端部と重ね合わされて縫合され、下部シートの折り返し部分に水が貯まるようになされたものとすることが好ましい。
【００１１】
本発明の伐採樹木の切り株処理方法は、上記本発明の切り株処理シートを伐採樹木の切り株上及びこの切り株の根の広がりが予想される切り株周辺の地面に被せる被覆工程と、切り株処理シートを地面に固定する固定工程とを少なくとも含むものとする。
【００１２】
上記切り株処理方法は、切り株処理シートの被覆工程の前に、金属塩水溶液、木酢液、及びタンニン水溶液からなる群から選択された樹木生育阻害物質を含有する処理液を切り株上面に設けた凹部に注入し、この凹部を含む切り株上面を透湿性マットで覆う工程をさらに含むものとすることができる。
【００１３】
また、切り株処理シートの被覆工程の前に、切り株と切り株周辺の土壌との間の電気抵抗を測定することにより根の広がりを探知して、その結果に基づき使用する切り株処理シートの大きさ及び形状を決定する工程をさらに含むものとすることもできる。
【００１４】
なお、本発明でいう切り株とは、伐採後の樹木の幹及び根をいうものとする。
【発明の効果】
【００１５】
本発明の切り株処理シートは、切り株の光合成を防ぎ、かつ乾燥を促進して切り株の再萌芽等の生理現象の機能を著しく低下させることにより、自然に枯らし、さらには自然腐蝕させ、土壌に還すことを可能にしたものである。
【００１６】
従って、本シートを用いる本発明の処理方法により、環境に悪影響を与えず、費用を抑えつつ、伐採樹木の切り株を効率的に処理できる。
【００１７】
また、樹木生育阻害物質を含有する処理液による処理を併用することにより、切り株の枯死を促進し、処理期間をより短縮することができる。
【００１８】
さらに、根の広がりを電気的に探知して使用する処理シートの大きさ及び形状を決定した場合、シートの無駄を防ぎつつ、萌芽をより確実に阻止することが可能となる。
【図面の簡単な説明】
【００１９】
【図１】本発明の切り株処理シートを伐採樹木の切り株に被せた状態を示す模式断面図である。
【図２】本発明の切り株処理シートの端部の構成の一実施態様を示す模式断面図である。
【図３】本発明による樹木の乾燥状態への移行のメカニズムを示す説明図である。
【図４】（ａ）及び（ｂ）は樹木生育阻害剤を注入する切り株上面の凹部の例を示す平面図であり、（ｃ）は切り株を透湿性マットで覆った状態を示す図である。
【図５】（ａ）及び（ｂ）はそれぞれ、本発明に用いうる根の探索装置のプローブの形状の例を示す平面図である。
【図６】根の位置（Ａ）と抵抗値（Ｂ）との関係を示す説明図である。
【発明を実施するための形態】
【００２０】
１．切り株処理シート
本発明の切り株処理シート（以下、「複合シート」又は単に「シート」という場合もある）は、上記したように、耐水性能及び遮光性を有する上部シートと、透湿耐水性能及び遮光性を有する下部シートとを少なくとも１部で固定してなるものである。図１に示すように、本シートＡは伐採樹木の切り株１上、及び根の広がりが予想されるその切り株周辺の地面に被せて使用する。本シートＡは、風で飛ばされたりしないように、地面２にピン３等の適当な手段を用いて固定する。
【００２１】
下部シートは、処理対象や使用環境に応じた強度と透湿耐水性能を有するものとし、その構造は特に限定されないが、例えば織布の片面又は両面に防水透湿性を有する樹脂ラミネート層を形成したものを好適に用いることができる。
【００２２】
より具体的な好ましい例としては、織布として、０．３５ｍｍ厚以上の合成樹脂製フラットヤーン織布で、ヤーンは７００〜１０００デニール、縦横それぞれ７〜１２本／ｉｎｃｈの打ち込み本数で織ったものが挙げられる。素材は、高強度が望めることから、例えばポリエチレンが好ましく、耐光性をより向上させるために耐光剤を３％程度含有するのが好ましい。
【００２３】
この織布の片面又は両面に合成樹脂フィルム（厚さ４０〜１００ミクロン）でラミネートを施し、その素材は上記と同様の耐光性強化ポリエチレンが好ましい。上部シートが破損して下部シートが露出したときの景観保護のために、色は表面（上面、すなわち複合シートとしたときの内側）を茶系統とし、裏面は遮光性を確保するために、カーボンブラック等で黒色に着色されているのが好ましい。
【００２４】
この積層シートを耐水性能を維持しながら透湿性能を有するものとするために、例えば、先端部に１０〜２０ミクロンの返しが付いた針が１６０本〜２５０本／ｉｎｃｈ２の密度で植えつけられたニードルローラーに掛ける方法が用いられる。ローラーを１工程に２本以上とすることにより、シートに３５０〜４００個／ｃｍ２の微細孔を開けることができる。このような特殊微細孔の形成により、シートの耐水度を３００〜４００ｍｍ／２４ｈｒｓ（ＪＩＳ  Ｌ  １０９２（低水圧法）による）、透湿度を１０００〜１３００ｇ／ｍ２・２４ｈｒｓ（ＪＩＳ  Ｌ  １０９９  Ａ−１法による）とすることができる。
【００２５】
上記耐水性及び透湿性を有する積層シートは、例えば、特開２００６−２１７８７４号公報に「マルチ栽培用シート」として開示されたシートの製造方法に準じて製造可能である。
【００２６】
但し、使用するシートの透湿性及び耐水性の程度は、処理対象となるそれぞれの樹木の生育環境、例えば河川内であれば土壌水分含有率（保水率）等により調整・選択するのが望ましい。例えば、高耐水（低透湿）タイプとして、孔の数を６０〜７０個／ｃｍ２とし、透湿度を４００〜５００ｇ／ｍ２・２４ｈｒｓ、耐水度を１０００〜２５００ｍｍ／２４ｈｒｓとすることができる。あるいは、高透湿タイプとして、孔の数を１２００〜１３００個／ｃｍ２とし、透湿度を３５００〜４０００ｇ／ｍ２・２４ｈｒｓ、耐水度を５０〜１００ｍｍ／２４ｈｒｓとすることができる。もちろん、これらの中間の耐水度・透湿度やこれら以上の耐水度・透湿度を有するものも、必要に応じて製造して使用することができる。
【００２７】
次に上部シートは耐光性及び耐水性を有するものとし、好ましい具体例としては、上記下部シートに用いるのと同様のシートであって、ニードルローラーによる微細孔形成処理を行わないものを使用できる。但し、上部シートは下部シートと異なり、紫外線、河川域の強風、雨等に直接さらされる為、下部シートより強度が大きいことが望ましく、上記と同様のフラットヤーン織布であれば、フラットヤーン９５０デニール以上で、打ち込み本数が縦横それぞれ１インチ当たり１６〜１８本からなり、厚さ０．４ｍｍ以上のものが好ましい。また、裏面に黒色のラミネートを施し、このシート単独で十分な遮光率（９９％以上）を確保することが好ましい。表面のラミネート層は、茶系統等の周囲の景観になじみ易い色にするのが好ましい。
【００２８】
上記した上下シートを合わせた複合シートとしての遮光率は、樹木に光が到達して光合成が行われるのをより確実に阻止するために、少なくとも９９．０％以上とし、９９．９％以上が好ましく、１００％であることが特に好ましい。
【００２９】
上記上下の２枚のシートは使用時に相互に離れると取扱いが困難となるので、少なくとも一部で予め相互に固定しておくものとし、正方形又は長方形のシートであれば、少なくとも相対向する２辺を縫合するのが好ましい。また、後述するように２枚のシートの間で、切り株から発生した水蒸気が水滴化し、シート端部に流れていくので、図２に示すように、下部シート５の端部を上に折り返して、上部シート４の端部を包み込むようにして縫合し、折り返し部分に水が貯まるようにするのが好ましい。図２において符号６は縫合線を示し、縫合は端部全体に亘って行う必要はないが、少なくとも下部シート端部の折り返し状態が維持できる程度行うものとする。縫合部分では縫目を介して水分が地面からシート内に侵入するおそれがあるため、縫合部分を覆うようにし下部シート端部に防水テープ７を貼り、水分の侵入を防止するのが好ましい。この防水テープは、例えば織布と比較的厚い樹脂層との二層構造からなり、粘着性のある樹脂によって孔や隙間を防ぐ、目止め効果が得られるものである。
【００３０】
上記において、正方形又は長方形のシートであれば４辺とも下部シートを上に折り返して縫合するのが最も好ましいが、例えば傾斜地で使用する等の事情に合わせて、３辺や２辺を折り返してもよい。なお、折り返していない辺がある場合はその部分から水が土壌に浸透し得るので、その辺に向かって水が流れにくいようにシートの配置を工夫するのが好ましい。
【００３１】
シートの平面形状は特に限定されず、正方形、長方形の他、円形、多角形、不定形でもよいが、製造や取扱いが容易である点からは正方形又は長方形が好ましい。シートの大きさは、後述するように根の広がりに応じて決定するのが好ましいが、目安としては正方形であれば１辺２〜４ｍ程度である。
【００３２】
本発明のシートは上記のような下部シートと上部シートとの複合シートとすることにより、後述するような切り株の乾燥を促進する機能を有するものとなり、紫外線や風雨に長期間耐え、切り株の再萌芽を物理的に抑制する強度をもつものとすることができる。また、仮に下部シートと上部シートのいずれか１枚が破損したとしても、残る一方のシートのみでも切り株の光合成を防ぎ、樹木切り株の再萌芽を防ぐことが可能となる。
【００３３】
２．切り株処理方法
（１）基本的処理方法とシートの作用
本発明の切り株処理方法においては、図１に示すように、切り株処理シートＡを樹木の切り株１に切り株１がほぼ中心になるように被せて、根の広がりを勘案して、切り株の周辺の地面に広げるように敷いて、風等によりずれたり、めくれたりしないように、シートの端部付近を地面に固定する。
【００３４】
固定方法は特に限定されないが、例えば図１に示すように、鋼鉄製のピン３等を打ち込んで、シートＡの端部付近を地面に数カ所固定すればよい。また、図には示していないが、シート端部の一部又は全部を地中に埋設してもよい。
【００３５】
上記のように設置された本発明の複合シートは、上下シート共に耐水性を有することにより、降雨によりシート内に水が侵入するのを阻止し、また降雨量が少ない時期は、その２層構造に基づく特性により、切り株を乾燥状態にさせ、最終的には枯死に至らしめるものである。その考えられるメカニズムを図３を用いて説明する。なお、図３中の矢印は、水蒸気又は水の流れの方向を示す。
【００３６】
まず、下部シート５が透湿性を有するが上部シート４は透湿性を有しないことにより、空気中の水蒸気及び樹木切株から発生した水蒸気は下部シート５を通過し、上部シート４と下部シート５との間で留まり、これら２枚のシート４，５の間で結露（水滴化）する。この水分は下部シート５が耐水性を有するので、樹木切株方向へ逆行できない。
【００３７】
複合シートが切り株を頂点にして地面に向かって傾斜しているため、シート４，５間の水滴はある程度の量になると傾斜に従って低い方へ、すなわちシート端部に向かって流れる。図２に示したように、下部シート５の端部が上部シート４側に折り返されて縫合されたものであると、端部において、土中への水分の再侵入が防がれ、水が溜まっていく。水の溜まる部分８を、ウォーターバンクと称する。ウォーターバンク８内に溜まった水は、大気乾燥時に気化して、２層のシート間の隙間や縫合部のミシン目等から大気中に放出される。なお、上記したように、下部シート裏面（地面側）の縫合部に図２に示す防水テープ７による目止めが施されている場合、ミシン目や、固定用のピンによる穴等から、土中へ水分が再侵入するのも防ぐことができる。
【００３８】
以上の原理で、複合シートＡの内部の蒸散水分は、２層構造外に放出され続け、切り株１の乾燥を促進する。
【００３９】
なお、ウォーターバンク８に水が溜まっている時は、複合シートＡの端部が重くなるので押さえになり、ピン３による固定を補助して、複合シートＡと地面との密着性を向上させる。また、降雨時に上部シート４に注いだ雨水の一部もウォーターバンク８内に一時的に溜まり、上記効果に寄与する。
【００４０】
さらに、複合シートＡ内は高温多湿の環境となるため、複合シートに覆われた切り株及びその周辺の土壌は蟻等の昆虫や、昆虫の幼虫、その他の生物の格好の住処となり、それらの生物による侵食作用により、切り株の枯死、組織の分解がさらに促進されるという効果も得られる。但し、後述する生育阻害物質含有処理液を使用した場合は、その種類や濃度にもよるが、昆虫等も生育しにくくなる場合があるので、処理対象である切り株の樹木の種類、大きさ、状態、所在地等によって、この生物による侵食促進作用と生育阻害物質による侵食促進作用とを適宜使い分けることが好ましい。
【００４１】
なお、図１乃至図３は模式図であり、実際の形状や大きさ（縮尺）を示したものではない。例えば、図３では便宜上、複合シートの上下シート間や、複合シートと切り株間に、連続した空間があるように描写されているが、実際にはこのような連続した空間はなく、幹の表面の凹凸等に従って、密接した部分と隙間のある部分とが混在している。
【００４２】
上記した本発明の複合シートによる処理により、切株の大きさや環境条件にもよるが、通常約８ヶ月〜１５ヶ月程度で切り株を枯死に至らしめることができる。好ましい態様として、上記した上下シートからなる複合シートは、耐用年数６〜７年以上の強度をもたせることができる。従って、再使用が可能であり、数回繰り返して使用することもできる。
【００４３】
（２）生育阻害物質含有処理液の付与
本発明の切り株処理シートは、上記のようにこれを切り株に被せて固定し、放置するだけで効果を奏するが、以下の樹木切り株の生育阻害物質を含む処理剤の付与を前処理等として行うことにより、その効果を促進することができる。
【００４４】
生育阻害物質としては種々のものがあり得るが、水域の生態への環境配慮、主要河川を流れている水の飲料水等の使用、近隣の田畑への使用を考慮すると、市販の化学的除草剤の使用は避けなければならない。従って、塩化ナトリウム・塩化マグネシウム・塩化カリウム等の金属塩を含んだ塩水、木酢液、タンニンなど、人間の日常生活上で一般的に使用されている物や自然物由来の物を使用することが望ましい。これらをその処理剤の種類に応じて、原液又は５０倍〜５００倍に希釈した液体として切り株に付与すればよい。例えば、塩水、タンニンであれば、濃度３重量％以上が好ましい。木酢液では原液等の高濃度の場合に高い効果が得られる。使用する処理液の種類及び量は、樹種、切り株の大きさや切り株のもつ貯蔵養分の量等を総合的に考慮して決定すればよい。
【００４５】
付与方法は特に限定されないが、例えば図４（ａ）に示すようにチェーンソー等で幹の外周に沿って溝９を形成したり、また（ｂ）に示すようにチェーンソー等で溝１０を複数本形成したりして、それらの溝９，１０に処理剤を注入すればよい。萌芽は、樹皮と木質部との間から発生することが多いため、（ａ）のように、なるべく樹皮の近くに処理液を付与することにより、本発明の効果をより向上させることができる。
【００４６】
注入量は上記のように切り株の樹種、大きさ等によって調整することが望ましいが、例えば直径４０ｃｍ程度の切り株であれば、約５００ｍｌ〜１０００ｍｌが目安となる。
【００４７】
切り株への処理剤注入後は、本発明の複合シートを直接被せるのではなく、透湿性及び弾力性を有するカバー材で切り株上面を覆うのが好ましい。好ましい例としては、切り株上面の直径の約２倍強の大きさの不織布製透湿性マット１１（厚み３〜４ｍｍ）を被せ、図４（ｃ）に示すように切り株周囲にタッカー２を８〜１０ヶ所程度打ち込み、留めることが挙げられる。本発明のシートが切り株に直接接触すると切り株の先鋭部分によりシートが破損するおそれがあるが、このようなマットを使用することによりその危険性を大きく減少させることができる。またマットが保温効果を有することにより、複合シートによる水分の蒸散効果が一層促進されると考えられる。
【００４８】
（３）樹木の根の探索によるシート寸法の決定
樹木はその樹種や環境によって根の広がり方が異なり、上記処理方法においても、その根域が、複合シートの被覆面積より大きく広がっていた場合は、シートからはみ出た部分で萌芽が生じ、所望の効果が得られない。
【００４９】
従って、根域が広いと予想される場合等は、シートの大きさの決定のために樹木の根の範囲を探索するのが望ましいが、地面を掘り返して探索するのは容易ではなく、また低コストで樹木切株を枯死させるという本発明の目的にも反する。
【００５０】
従って、地面を掘り返すことなく、根域の広がりを判定する方法が望ましく、例えば、実開平６−３０７９１号公報に基本原理が示された根茎探査機による方法（以下、「電子ニードル工法」という）を用いることができる。これは、直流電源と抵抗とからなる回路中に挿入された電圧計に対し二本のプローブを並列的に接続し、二本のプローブ間の電圧を測定するようになされたものであり、根が一種の導電体であることを利用して、根の存在の有無（密集の程度）を調べるものである。
【００５１】
図５はそのような根茎探査機のプローブの例を示す図であり、（ａ）のように釘状のものや（ｂ）のように櫛の歯状のもの（広幅差込鉄針）を根の状態等に応じて適宜使い分ければよい。（ａ）のプローブ１３の長さ（Ｌ１）及び（ｂ）の広幅差込鉄針の鉄針部１４の長さ（Ｌ２）は、ほぼ水平方向に広がる根の深さを勘案して３０〜４０ｃｍ程度とする。このようなプローブを使用し、切り株とプローブを差し込んだ土壌間の電気抵抗値を測定することにより、根の伸長具合を検知することができる。
【００５２】
その方法としては、まず切り株周辺の土壌を軽く掘り、根の伸長方向の検討をつける。次にネジを切り株に取り付け、そこに計測器の一方のコードをつなぐ。もう一方のコードをつないだプローブを前述で確認した根の伸長方向に沿って５０ｃｍ〜１００ｃｍ間隔で差し込んでゆき、計測器に表示される数値を確認してゆく。
【００５３】
図６は根の位置（Ａ（ｃｍ））と抵抗値（Ｂ（Ω））との関係を示す図であり、本図に示すように、まず切り株周辺の根付近（Ａ＝０）に広幅差込鉄針を差込むと、計測器に電気抵抗値として約７００〜７７０Ω程度の数値が表示され、そこから根の伸長方向に沿って５０ｃｍ〜１００ｃｍ進んだ地点で再度広幅差込鉄針を差込むと電気抵抗値が約８５０〜９００Ω程度の数値となり、さらに根の先端（Ａ＝２００）に近づくと抵抗値は１０００〜１２００Ω程度まで上昇してゆくが、根の先端を越えてしまうと数値が５００〜６００Ω程度に急減するので、その周辺まで切り株の根が伸長していることが分かる。以上の計測方法で、簡単にかつ素早く先端根の位置を把握することができる。
【００５４】
さらに効率的な方法として、上記抵抗値の測定時に、根の周辺に電解水を注入することにより、先端根の位置をより一層明確に探知することができる。
【実施例】
【００５５】
以下、実施例により本発明をさらに具体的に説明する。以下では、河川内に自生した直径約４０ｃｍの柳の切り株の処理に使用したシート、そのシートを用いた処理の方法、及び結果について記載しているが、本発明は以下の実施例に限定されるものではない。
【００５６】
（１）電子ニードル工法により栄養吸収根を探索した結果、１本の根株から発生している主要な根は３本〜４本であり、根の長さは約１．５ｍであることが判明したので、複合シートの寸法を１辺３ｍの正方形に決定した。
【００５７】
複合シートは下記上部シートと下部シートとを重ね合わせて、４辺とも下部シートの端部は図２に示したように上部シート側に折り返し、縫合により固定したものを使用した。折り返し部分の寸法は幅１５ｃｍとした。下部シート裏面に、縫合線を覆うように、幅１０ｃｍの防水テープ（ポリエチレン織布とアクリル系粘着剤層との二層構造を有するＳＲＢ接着テープ）を貼った。
【００５８】
（２）切り株上面に、図４（ａ）に示すように、外皮に沿ってチェーンソーによりほぼ円形の溝（幅３ｃｍ、深さ５〜８ｃｍ）を形成し、樹木生育阻害物質としての塩化ナトリウム、塩化カルシウム、及び塩化マグネシウムを含有する天然ミネラル液（海水加工液、芳香剤含有）合計５００ｍｌをこの溝に注入した。
【００５９】
（３）注入後、切り株に直径８０ｃｍの円形の透湿性マット（ポリエステル不織布製）を被せ、タッカー（Ｗ８ｍｍ×Ｈ８ｍｍ）を計８ヶ所打ち付けて固定した。
【００６０】
（４）次いで、上記複合シートを切り株がほぼ中央にくるように、切り株に被せて、端部付近（四隅及び各辺の中央部）にピン（φ４ｍｍ×Ｗ３５ｍｍ×Ｈ２３０ｍｍ、半鋼線）計８ヶ所打ち付けて固定した。
【００６１】
（５）施工から１ヶ月毎に複合シートを一部取り外して切り株及びその周辺の状態を観察し、観察後はシートを元の状態に戻した。いずれの観察の際においても、目立った萌芽は認められず、８ヶ月後に切り株の枯死が確認された。
【００６２】
上記各工程において使用した資材の詳細は以下の通りである。
【００６３】
・透湿性マット
厚  み  ：４ｍｍ
重  量  ：４４０ｇ／ｍ２
引張強度：タテ４２０Ｎ／５ｃｍ、ヨコ７２０Ｎ／５ｃｍ
【００６４】
・上部シート（耐水性シート）
織  布  ：ポリエチレン製フラットヤーン９５０デニール、打ち込み本数縦１８本／ｉｎｃｈ、横１６本／ｉｎｃｈ
ラミネート層：耐光性ポリエチレンフィルム（黒色、厚さ４０μｍ）
厚  み  ：０．４ｍｍ
重  量  ：１９０ｇ／ｍ２
耐水度  ：４００ｍｍ／２４ｈｒｓ
引張強度：タテ１０００Ｎ／５ｃｍ、ヨコ９８０Ｎ／５ｃｍ
伸  度  ：タテ１５％以上、ヨコ１２％以上
遮光率  ：９９．９％以上
【００６５】
・下部シート（透湿耐水性シート）
織  布  ：ポリエチレン製フラットヤーン８００デニール、打ち込み本数縦横共９本／ｉｎｃｈ
ラミネート層：耐光性ポリエチレンフィルム（厚さ３０μｍ）
厚  み  ：０．３５ｍｍ
重  量  ：１５０ｇ／ｍ２
耐水度  ：３００ｍｍ／２４ｈｒｓ
透湿度  ：２０００ｇ／ｍ２・２４ｈｒｓ
引張強度：タテ４００Ｎ／５ｃｍ、ヨコ４００Ｎ／５ｃｍ
伸  度  ：タテ１５％以上、ヨコ１５％以上
遮光率  ：９９．９％以上
【産業上の利用可能性】
【００６６】
本発明の切り株処理シートは、河川域内の樹木のみならず、伐採樹木全般の切り株（幹及び根）、雑木、雑草等を、自然環境に悪影響を与えることなく、土に還らせる手段として用いることができる。
【符号の説明】
【００６７】
Ａ……切り株処理シート
１……切り株
２……土地
３……ピン
４……上部シート
５……下部シート
６……縫合部
７……防水テープ
８……ウォーターバンク
９，１０……溝
１１……透湿性マット
１２……タッカー
１３，１４……プローブ
【図１】
2010259338.tif 000003
【図２】
2010259338.tif 000004
【図３】
2010259338.tif 000005
【図４】
2010259338.tif 000006
【図５】
2010259338.tif 000007
【図６】
2010259338.tif 000008